(57)【特許請求の範囲】
【請求項１】
浴室の壁部材側に配置される壁側フランジ部と、前記浴室の洗い場側に配置される洗い場側フランジ部とが浴槽本体の縁に備えられた浴槽において、
前記壁側フランジ部に、作業者が把持する把持部材が当該壁側フランジ部よりも上方で取り付けられる被取付部が備えられ、前記壁側フランジ部の上に前記浴室の前記壁部材が配置されたとき、前記被取付部が、前記壁側フランジ部のうち、前記壁部材を境にして前記浴槽本体の外側で、上方に張り出した箇所に形成された、
ことを特徴とする浴槽。
【請求項２】
前記壁側フランジ部の複数個所に前記被取付部が形成された、
ことを特徴とする請求項１に記載された浴槽。
【請求項３】
前記壁側フランジ部が突出して補強部が形成され、この補強部に前記被取付部が備えられた、
ことを特徴とする請求項１または請求項２に記載された浴槽。
【請求項４】
前記把持部材がロープであり、
前記被取付部が、前記ロープが通される孔である、
ことを特徴とする請求項１から請求項３のいずれか１項に記載された浴槽。
【発明の詳細な説明】
【技術分野】
【０００１】
本発明は、浴槽に関するものである。
【背景技術】
【０００２】
従来、浴室に設置される浴槽は箱状に形成され、底面部の縁から側面部が起立し、上面が開放された形状である。側面部は、上面側の縁が浴槽の外側に張り出されてフランジ部が形成され、このフランジ部に浴室の壁部材が立てられて設置される（下記特許文献１参照）。このフランジ部は、浴槽を浴室に設置する際に作業者が把持する部分となる場合もある。
【先行技術文献】
【特許文献】
【０００３】
【特許文献１】特開２００７−１８１５８２号公報
【発明の概要】
【発明が解決しようとする課題】
【０００４】
しかし、浴槽を浴室に設置する際に作業者がフランジ部を把持する場合、作業者は腕を広げてフランジ部を把持し、浴槽を水平の状態に維持しつつ垂直に降ろして設置する必要があるため、作業者は身体を屈めた姿勢をとる必要がある。この様な姿勢は作業者の腰などへの負担となるため、浴室に浴槽を設置する作業が困難となる。
【０００５】
本発明は上記の実情に鑑みて提案されたものである。すなわち、浴室への搬入や設置作業を作業者が容易に行うことができる浴槽の提供を目的とする。
【課題を解決するための手段】
【０００６】
上記目的を達成するために、本発明に係る浴槽は、浴室の壁部材側に配置される壁側フランジ部と、前記浴室の洗い場側に配置される洗い場側フランジ部とが浴槽本体の縁に備えられた浴槽において、前記壁側フランジ部に、作業者が把持する把持部材が取り付けられる被取付部が備えられた、ことを特徴とする。
【０００７】
本発明に係る浴槽は、前記壁側フランジ部の複数個所に前記被取付部が形成された、ことを特徴とする。
【０００８】
本発明に係る浴槽は、前記壁側フランジ部に前記浴室の前記壁部材が配置され、前記壁側フランジ部のうち、前記壁部材を境にして前記浴槽本体の外側に、前記被取付部が形成された、ことを特徴とする。
【０００９】
本発明に係る浴槽は、前記壁側フランジ部が突出して補強部が形成され、この補強部に前記被取付部が備えられた、ことを特徴とする。
【００１０】
本発明に係る浴槽は、前記把持部材がロープであり、前記被取付部が、前記ロープが通される孔である、ことを特徴とする。
【発明の効果】
【００１１】
本発明に係る浴槽は、壁側フランジ部に、作業者が把持する把持部材が取り付けられる被取付部が備えられている。この構成により、壁側フランジ部の被取付部に把持部材を取り付けることで、作業者は腕を伸ばして広げなくても、把持部材を介して壁側フランジ部を支持することができる。したがって、作業者が浴室への搬入や設置作業を容易に行うことができる。
【００１２】
本発明に係る浴槽は、壁側フランジ部の複数個所に被取付部が形成されている。この構成により、浴槽本体が把持部材によって複数個所で支持される。したがって、作業者は、浴槽を安定させて浴室への搬入や設置作業を行うことができる。
【００１３】
本発明に係る浴槽は、壁側フランジ部に浴室の壁部材が配置され、壁側フランジ部のうち、壁部材を境にして浴槽本体の外側に、被取付部が形成されている。この構成により、被取付部がどのような構造であっても浴槽の内側（浴室の内側）の防水性を維持することができる。また、壁部材が設置された状態で、被取付部が壁部材によって遮蔽されるため、浴室の外観を良好に維持することができる。
【００１４】
本発明に係る浴槽は、壁側フランジ部が突出して補強部が形成され、この補強部に被取付部が備えられている。この構成により、補強部によって壁側フランジ部が拡張されたうえで被取付部が形成される。したがって、拡張された分だけ壁側フランジ部の強度を上げて、被取付部を補強することができる。
【００１５】
本発明に係る浴槽は、把持部材がロープであり、被取付部が、ロープが通される孔である。したがって、簡単な構成で浴槽を実現することができる。
【図面の簡単な説明】
【００１６】
【図１】本発明の実施形態に係る浴槽の外観が示され、（ａ）が奥側の壁側フランジ部に補強部が形成されたものの斜視図、（ｂ）左右側の壁側フランジ部に補強部が形成されたものの斜視図である。
【図２】本発明の実施形態に係る浴槽の外観が示され、（ａ）が上方から視した平面図、（ｂ）が手前側から視した正面図、（ｃ）が左方から視した側面Ａ−Ａ断面図である。
【図３】本発明の実施形態に係る浴槽の補強部および被取付部の外観斜視図である。
【図４】本発明の実施形態に係る浴槽の壁側フランジ部の断面図である。
【図５】本発明の実施形態に係る浴槽の取り付け状態を説明する断面説明図である。
【発明を実施するための形態】
【００１７】
以下に、本発明の実施形態に係る浴槽を図面に基づいて説明する。図１および図２は、本発明の実施形態に係る浴槽１０の外観が示され、図３は、本発明の実施形態に係る浴槽１０の補強部２５、および被取付部としての取付孔２６の外観が示されている。なお、以下の説明では、浴槽１０を浴室１に設置する際に、作業者（図示省略）から正面視して浴槽１０の幅方向（浴槽１０の長手方向）を“右”および“左”とし、奥行き方向を“奥”および“手前”とし、高さ方向（浴槽１０の深さ方向）を“上”および“下”とする（図１参照）。
【００１８】
図１および図２に示されているとおり、本実施形態に係る浴槽１０は、ほぼ長方形または長円形に形成された箱状の浴槽本体１１と、この浴槽本体１１の縁に形成されたフランジ部１５とが備えられている。図３に示されているとおり、フランジ部１５は、一部が突出して補強部２５が形成され、この補強部２５に、作業者が把持する把持部材としてのロープ６が通される取付孔２６が形成されている。
【００１９】
浴槽本体１１は、底面部１２の縁から側面部１３が起立して上面が開放され、浴槽パン４（図５参照）に設置するための設置部１４が底面部１２の下面側（裏面側）に形成されている。フランジ部１５は、側面部１３の上面側の縁が浴槽本体１１の外側に張り出されて形成されている。このフランジ部１５は、浴室１の壁部材５側（図４参照）に配置される壁側フランジ部１６と、浴室１の洗い場側に配置される洗い場側フランジ部１７とから構成され、各フランジ部１６，１７は連接されて上方から視して全体がほぼ長方形に形成されている。フランジ部１５のうち、幅方向の左側と右側、および奥行き方向の奥側が壁側フランジ部１６あり、一方、奥行き方向の手前側が洗い場側フランジ部１７である。洗い場側フランジ部１７は、下方に折り返されている（図５参照）。
【００２０】
ここで、壁側フランジ部１６について図面に基づいて説明する。図４は、本実施形態に係る浴槽１０の壁側フランジ部１６の断面が示されている。
【００２１】
図４に示されているとおり、壁側フランジ部１６は、側面部１３の上面側の縁から張り出された平坦部１８と、この平坦部１８の先端に形成された壁配置部１９とが備えられている。壁配置部１９は、壁部材５が配置される断面Ｈ字状の溝である。壁配置部１９は、平坦な溝底部２０と、この溝底部２０を挟んで対面すると共に上下方向に突出した内側支持面部２１および外側支持面部２２とから形成されている。内側支持面部２１は、壁配置部１９に配置される壁部材５を境にして浴槽本体１１の内側に配置され、一方、外側支持面部２２は、壁配置部１９に配置される壁部材５を境にして浴槽本体１１の外側に配置される。壁配置部１９は溝底部２０の上面側に形成された上側溝部２３と、この上側溝部２３の反対側で溝底部２０の下面側（裏面側）に形成された下側溝部２４とが形成されている。外側支持面部２２は、上方に突出して補強部２５が形成され、この補強部２５にロープ６が通される取付孔２６が形成されている。
【００２２】
ここで、補強部２５および取付孔２６について図３に基づいて説明する。
【００２３】
図３に示されているとおり、補強部２５は、外側支持面部２２の一部が上方に突出してほぼ三角形に形成され、壁側フランジ部２６のうち、奥側の外側支持面部２２の複数個所に形成されている（図１（ａ）および図２参照）。なお、補強部２５は外側支持面部２２の面積を拡張させて取付孔２６の周囲を補強するものであるため、その形状は、例えば台形、四角形、半円形などであってもよい。また、補強部２５は、壁側フランジ部１６のうち、左右側の外側支持面部２２に形成されていてもよい（図２（ｂ）参照）。
【００２４】
取付孔２６は、奥行き方向に向けて補強部２５を貫通して形成されている。なお、取付孔２６は、ロープ６が通されるものであるため、その形状は円形に限られない。補強部２５の縁から中心に向けて形成された切り込み状であってもよい。その他、ロープ６が引っ掛かる形状である鉤状部や、磁力や粘着力による接着、凹凸構造の嵌合式であってもよい。外側支持面部２２の強度を保つことができれば、取付孔２６は、外側支持面部２２に形成されていてもよい。また、防水処理が施され、パネルなどで遮蔽されることを条件に、取付孔２６は、洗い場側フランジ部１７に形成されていてもよい。
【００２５】
取付孔２６に通されるロープ６は、浴槽本体１１を支持するものであるため、例えば棒状、先端が鉤状に形成されて壁側フランジ部２２に引っ掛かる形状などであってもよい。
【００２６】
以上のとおり、本実施形態に係る浴槽１０が形成されている。
【００２７】
次に、本実施形態に係る浴槽１０を浴室１に設置する手順を図面に基づいて説明する。図５は、本実施形態に係る浴槽１０の取り付け状態が示されている。
【００２８】
図５に示されているとおり、外側支持面部２２の補強部２５に形成された取付孔２６に、ロープ６を通す。取付孔２６が複数個所に形成されている場合は、一本のロープ６をいずれの取付孔６にも通す。なお、この際、取付孔２６毎に別のロープ６を通して複数のロープ６を用いてもよい。また、ロープ６の長さは任意であるが、ロープ６は、作業者が身体を屈めすぎず、ある程度上体を起こすことで、腕を伸ばして広げなくても、壁側フランジ部１６よりも手前側で把持することができる長さであればよい。
【００２９】
作業者は、例えば上体を腰よりも高い位置に起こした状態で、腕を伸ばして広げることなく、壁側フランジ部１６よりも手前側で洗い場側フランジ部１７とロープ６とを把持し、浴槽１０を浴室１の浴槽パン４に設置する。その際、浴槽１０を水平の状態に維持しつつ垂直に降ろし、壁側フランジ部１６の壁配置部１９のうち、下側溝部２４を、浴室１の防水枠３に嵌めると共に、浴槽本体１１の設置部１４を浴槽パン４に設置する。取付孔２６からロープ６を外し、壁側フランジ部１６の壁配置部１９のうち上側溝部２３に、壁部材５を設置して嵌める。外側支持面部２２が、壁部材５を境にして浴槽本体１１の外側に配置されることで、取付孔２６が壁部材５によって遮蔽される。
【００３０】
以上のとおり、本実施形態に係る浴槽１０を浴室１に設置する。
【００３１】
次に、本実施形態に係る浴槽１０の効果を説明する。
【００３２】
上記したとおり、本実施形態に係る浴槽１０によれば、図４に示されているとおり、壁側フランジ部１６は、平坦部１８の先端に壁配置部１９が形成され、外側支持面部２２から上方に突出して形成された補強部２５に、ロープ６が通される取付孔２６が形成されている。この構成により、取付孔２６にロープ６を取り付けることで、上体を腰よりも高い位置に起こした状態で、腕を伸ばして広げることなく壁側フランジ部１６よりも手前側で、洗い場側フランジ部１７とロープ６とを把持することができる。したがって、作業者が、浴室１への搬入や設置作業を容易に行うことができる。
【００３３】
本実施形態に係る浴槽１０によれば、壁側フランジ部２６のうち、奥側の外側支持面部２２に複数の補強部２５が形成され、各補強部２５に取付孔２６が形成されている（図１（ａ）参照）。この構成により、一本のロープ６がいずれの取付孔６にも通され、浴槽１０がロープ６によって複数個所で支持される。したがって、作業者は、浴槽１０を安定させて浴室１への搬入や設置作業を行うことができる。
【００３４】
本実施形態に係る浴槽１０によれば、補強部２５は、外側支持面部２２の一部が上方に突出してほぼ三角形に形成されている。この構成により、補強部２５によって壁側フランジ部２６は、外側支持面部２２の面積が拡張される。したがって、面積が拡張された分だけ外側支持面部２２の強度を上げることができ、取付孔２６を補強することができる。
【００３５】
本実施形態に係る浴槽１０によれば、図４に示されているとおり、壁側フランジ部１６は、平坦部１８の先端に壁配置部１９が形成され、外側支持面部２２が、壁配置部１９に配置される壁部材５を境にして浴槽本体１１の外側に配置されている。壁配置部１９のうち上側溝部２３に、壁部材５が設置されて嵌められる。外側支持面部２２が、壁部材５を境にして浴槽本体１１の外側に配置されることで、取付孔２６が壁部材５によって遮蔽される。この構成により、取付孔２６がどのような構造であっても、取付孔２６を閉塞する必要がなく、浴槽１０の内側（浴室１の内側）の防水性を維持することができる。また、取付孔２６を閉塞しなくても、壁部材５が設置された状態で、取付孔２６が壁部材５によって遮蔽されるため、浴室１の外観を良好に維持することができる。
【００３６】
また、図４に示されているとおり、溝底部２０が平坦であり、この溝底部２０を挟んで対面すると共に上下方向に突出した外側支持面部２２から上方に突出して形成された補強部２５に取付孔２６が形成されている。すなわち、溝底部２０から離れた補強部２５に取付孔２６が形成されているため、上側溝部２３に壁部材５が設置されて嵌められた状態において、溝底部２０と壁部材５の下端とが密着する。この構成により、取付孔２６がどのような構造であっても、溝底部２０と壁部材５の下端との密着性を維持することができ、したがって、浴槽１０の内側（浴室１の内側）の防水性を維持することができる。
【００３７】
本実施形態に係る浴槽１０によれば、本発明に係る浴槽１０は、取付孔２６にロープ６が通される。したがって、簡単な構成で浴槽１０を実現することができる。
【００３８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３９】
１                  浴室
３                  防水枠
４                  浴槽パン
５                  壁部材
６                  ロープ（把持部材）
１０                浴槽
１１                浴槽本体
１２                底面部
１３                側面部
１４                設置部
１５                フランジ部
１６                壁側フランジ部
１７                洗い場側フランジ部
１８                平坦部
１９                壁配置部
２０                溝底部
２１                内側支持面部
２２                外側支持面部
２３                上側溝部
２４                下側溝部
２５                補強部
２６                取付孔（被取付部）
【図１】
0006546735.tif 000002
【図２】
0006546735.tif 000003
【図３】
0006546735.tif 000004
【図４】
0006546735.tif 000005
【図５】
0006546735.tif 000006